(57)【要約】      （修正有）【課題】花粉やウィルス等の侵入を防ぐマスクの機能を高めるマスク用防菌補助器具を提供する。【解決手段】マスクの形状を有する本体基板１を、ゴムや柔軟性のある各種プラスチック、伸縮性のある素材を織り込んだ布などでつくり、装着した時に、顔面の小鼻の上部にあたる本体基板の左右２カ所の位置に、任意の素材および任意の大きさおよび任意の形状からなる突起４を設け、本体基板に任意の大きさと任意の形状の通気孔３を、任意の数設け、本体基板に、任意の素材および任意の大きさおよび任意の形状からなる耳掛け２を設けてマスクの上から装着できるようにし、マスクと顔面との間の隙間を埋める機能を高めることができるようにした構造からなるマスク用防菌補助器具。【選択図】図３
2020114956.tif 000002
【特許請求の範囲】
【請求項１】
任意の素材および任意の大きさおよび任意の形状からなる本体基板に、任意の大きさおよび任意の形状の通気孔を、任意の位置に、任意の数設け、前記本体基板に任意の素材および任意の大きさおよび任意の形状からなる耳掛けを設けてマスクの上から装着できるようにし、マスクと顔面との間の隙間を埋める機能を高めることができるようにした構造からなるマスク用防菌補助器具。
【請求項２】
本発明を装着した時に、顔面の小鼻の上部にあたる本体基板の左右２カ所の位置に、任意の素材および任意の大きさおよび任意の形状からなる突起を設けた請求項１におけるマスク用防菌補助器具。
【請求項３】
本体基板の中心部分に、人の顔面の鼻および口を囲むことができる任意の素材および任意の大きさおよび任意の形状からなる突起を設けた請求項１におけるマスク用防菌補助器具。
【請求項４】
任意の厚さのゴム板またはその他の柔軟性を有する任意の素材より、抜き型で打ち抜き加工して請求項１のマスク用防菌補助器具を得る製造方法。
【請求項５】
任意の素材および任意の大きさおよび任意の形状からなる２個のフィッシュクリップを、任意の長さおよび任意の形状からなる伸縮性のある任意の素材で連結した構造からなる簡易マスク形成用器具。
【発明の詳細な説明】
【技術分野】
【０００１】
本発明は、一般的なマスクの使用時にマスクの上から装着することにより、顔面とマスクの間の隙間を埋めて、花粉やウィルスが侵入するのを防ぐ機能を高めることができるマスク用防菌補助器具に関するものである。
【背景技術】
【０００２】
従来からマスクは存在するが、一般的なマスクでは顔面とマスクとの間に僅かな隙間が生じ、この隙間から花粉やウィルス等が侵入する可能性が高く、花粉症対策やウィルス感染防止の意味からは不十分であると思われる。最近では新型コロナウィルスの世界的な蔓延が大きな問題となっているが、このような問題は今後も起きる可能性があり、より効果的な感染防止の対策が必要とされる。
【先行技術文献】
【特許文献】
【０００３】
【特許文献１】特許５９３７７４８特許第5937748号特許第5937748号号
【特許文献２】特開２０１１−０００４１３
【発明の概要】
【発明が解決しようとする課題】
【０００４】
従来から存在する一般的なマスクは、これを装着した場合、顔面とマスクとの間に僅かな隙間が生じ、この隙間から花粉やウィルス等が侵入し、花粉症対策や感染防止の意味からは不十分であるという問題点があった。本発明は以上の問題点を解決しようとするものである。
【課題を解決するための手段】
【０００５】
マスクの形状を有する本体基板を、ゴムや柔軟性のある各種プラスチック、伸縮性のある素材を織り込んだ布などでつくり、本発明を装着した時に、顔面の小鼻の上部にあたる前記本体基板の左右２カ所の位置に、任意の素材および任意の大きさおよび任意の形状からなる突起を設け、前記本体基板に任意の大きさと任意の形状の通気孔を、任意の数設け、前記本体基板に、任意の素材および任意の大きさおよび任意の形状からなる耳掛けを設けてマスクの上から装着できるようにし、マスクと顔面との間の隙間を埋める機能を高めることができるようにした構造からなるマスク用防菌補助器具。
【発明の効果】
【０００６】
本発明により、花粉やウィルス等の侵入をより効果的に防止することが可能となり、花粉症対策やウィルス感染防止等に役立つ。
【図面の簡単な説明】
【０００７】
【図１】本発明の外観斜視図
【図２】本発明の他の実施例を示す外観斜視図
【図３】本発明の他の実施例を示す外観斜視図
【図４】図３を裏面から見た場合の外観斜視図
【図５】本発明の他の実施例を示す外観斜視図
【図６】本発明の他の実施例を示す外観斜視図
【図７】本発明の他の実施例を示す外観斜視図
【図８】本発明の他の実施例を示す外観斜視図
【図９】本発明の他の実施例を示す外観斜視図
【図１０】本発明の他の実施例を示す外観斜視図
【図１１】本発明の他の実施例を示す外観斜視図
【図１２】本発明の他の実施例を示す外観斜視図
【図１３】本発明の他の実施例を示す外観斜視図
【図１４】本発明の他の実施例を示す外観斜視図
【図１５】本発明の他の実施例を示す外観斜視図
【図１６】フィッシュクリップを使用した本発明の外観斜視図
【図１７】図１６の本発明を使用した実施例を示す図
【図１８】フィッシュクリップを使用した本発明の外観斜視図
【図１９】図１８の本発明を使用した実施例を示す図
【発明を実施するための形態】
【０００８】
本発明のマスク用防菌補助器具は、本体基板（１）および耳掛け（２）および通気孔（３）                
および突起（４）から構成される。本体基板（１）は、柔軟性を有する任意の素材および任意の大きさおよび任意の形状でつくることができ、マスクの形状をなし、マスクを外側から抑える機能を果たす。本体基板（１）は、ゴムや柔軟性のある各種プラスチック、伸縮性のある素材を織り込んだ布などでつくることが望ましい。耳掛け（２）は、柔軟性を有する任意の素材および任意の大きさおよび任意の形状でつくることができ、本体基板（１）に縫製、接着剤、熱融着などの取付手段で取り付けられている。通気孔（３）は、任意の大きさおよび任意の形状で、本体基板（１）に設けられ、その数と設ける位置は任意である。通気孔（３）は、本発明を装着した時に、呼吸をするために必要な孔であり、図１のように本体基板（１）の全面に渡って設けてもよいし、図２のように、呼吸するために必要な部分だけに設けてもよい。突起（４）は、任意の素材および任意の大きさおよび任意の形状からなり、本発明を装着した時に、顔面とマスクの間の隙間を効果的に埋める働きをする。一般に、マスクをした場合、鼻の左右の鼻根から鼻背の間、すなわち小鼻の上部にあたる部分に大きな隙間ができる。この隙間を埋めるために、マスクの上部にノーズワイヤーという変形可能な金属が入っているマスクもあるが、これを変形して使用してもこの隙間は完璧には埋まらない。この顔面とマスクの間の隙間を埋めるには、マスクの外側から小鼻の上部にあたる部分を抑えてやることが最も効果的である。突起（４）は、顔面の小鼻の上部にあたる本体基板（１）の左右２カ所の位置に接着剤、熱融着などの取付手段で取り付けられている。こうすることにより、本発明をマスクの上から装着した時に、この突起（４）が顔面の小鼻の上部をマスクの外から適度な力で抑え込むことにより、顔面とマスクの間にできる隙間を効果的に埋めることができる。本体基板（１）の左右２カ所の位置に、任意の素材および任意の大きさおよび任意の形状からなる突起（４）を設ける他、人の顔面の鼻および口を囲むことができる任意の素材および任意の大きさおよび任意の形状からなる突起（４）を、本体基板（１）の中心部分に接着剤、熱融着などの取付手段で取り付けても良い。この形状の突起（４）としては、人の顔面の鼻および口を囲むことができる三角形や楕円形などがあり、その他の任意の形状も可能である。突起（４）は、任意の素材および任意の大きさおよび任意の形状が可能で、柔軟性のゴムやウレタンフォームのような発泡体、その他の柔軟性のある各種プラスチック、ガーゼの帯のような布などでもよい。この突起（４）を設けた伸縮性のある本体基板（１）でマスクを外から抑え込むことにより顔面とマスクの間にできる隙間を効果的に埋めることができる。マスクの形状を有する本体基板（１）は、任意の素材でつくることができるが、ゴムや柔軟性のある各種プラスチック、伸縮性のある素材を織り込んだ布などでつくることが望ましい。耳掛け（２）は、同じく柔軟性や伸縮性のある素材でつくり、縫製、接着剤、熱融着などの取付手段で、本体基板（１）に取り付ける。通気孔（３）を設けた本体基板（１）と耳掛け（２）を一体化したもの、すなわち、図１で示されるものを、任意の厚さのゴム板から抜き型で打ち抜き加工すれば、大量に廉価で製造できる。これをつくるゴム状の素材としては、天然ゴム、合成天然ゴム、スチレンブタジエンゴム、ブタジエンゴム、クロロプレンゴム、ブチルゴム、ニトリルゴム、エチレン・プロピレンゴム、クロロスルホン化ポリエチレンゴム、アクリルゴム、ウレタンゴム、シリコーンゴム、フッ素ゴム、多流加ゴムなどがあり、その他の柔軟性を有する任意の素材でもよい。図２、図１０、図１３に示す本発明もこの方法で製造することができる。図１、図２、図１０、図１３で示される本発明は、突起（４）が無いが、これらは柔軟性を有するものであり、このままでもマスクの上から装着することにより、顔面とマスクの間の隙間を効果的に埋めることに有効な働きをする。更に、様々な形状の突起（４）を設けた本発明は、顔面とマスクの間の隙間をより効果的に埋めることができる。これによりウィルス等の感染などを防ぐ可能性をより大きくできる。これらは花粉症対策としても有効である。本発明は、この金型をつくり、これにゴム状の素材や柔軟性を有する各種プラスチック素材などを流し込んで成型してつくることもできる。これは実施例１１を除く以下の全ての実施例について言える。この方法では、人の顔面に沿った立体的な形状の金型をつくり、これにゴム状の素材や柔軟性を有する各種プラスチック素材などを流し込んで成型し、人の顔面に沿った立体的な形状の本発明をつくることもできる。ゴム状の素材などでつくった本発明は、自由に変形するので、どのような形の顔面にもフィットする。昨今、新型コロナウィルスの世界的蔓延により、マスク不足が大きな問題となっているが、本発明はこのような問題解決にも役立つものと思われる。すなわち、本発明が１つあり、マスクの素材の基布さえあれば、簡単にマスクとして利用できる。マスクの原反から四角のマスクの形状の基布を生産することは、マスクの完成形を生産するよりはるかに容易く、早く、大量に生産することができる。これにより、マスク不足を解消することもできる。更には、ガーゼ、通気性のある紙、不織布、ハンカチ、タオルなどがあれば、本発明を利用していつでもマスクとして利用できる。本発明は、使用後に洗浄して除菌をすれば繰り返し何度でも使用できる。このことは、以下の全ての実施例について言える。マスクを使用した場合、大きな問題は、顔面とマスクの間の隙間から花粉や粉塵、ウィルスが侵入してしまうことである。本発明は、この問題を解決することに役立つものと思われる。本発明は、マスクの機能を高めることができるため、例えば、インフルエンザの治療などに携わる医師や看護師などの医療従事者に有意義であると思われる。なぜならば、マスクをしているにもかかわらず、マスクの機能が不完全のために、ウィルスなどに感染してしまう可能性も否定できないからである。新型コロナウィルスのようなウィルスは、霧のように空気中に漂うエアロゾルの状態でも生存する可能性もあり、感染防止の意味からはマスクは重要となり、マスクの機能を高める本発明は価値があるものと思われる。特に最近では、新型コロナウィルス関連で医療従事者がウィルスに感染したというニュースを耳にする。このような人達は、必ずマスクをしている筈であるが、それにもかかわらず感染してしまうことがある。ウィルスは目に見えないものであるから、或いは、マスクの不完全さが原因かも知れない。マスクの不完全さをいくらかでも解消するために、本発明は役立つかも知れない。医療従事者にとって完全防護服を着れば感染防止には、より完璧であろうが、普段の業務の中でこれを毎日着る訳にはいかないであろう。本発明で、マスクの不完全さをいくらかでも解消する意味合いは大きいと考えられる。本発明は、使用後に洗浄して除菌をすれば繰り返し使用することもできるが、医療関係などでの特殊な用途については、ゴム手袋などで使い捨てが行われているように、同様に使い捨てにするのが良いと思われる。特開２０１１−０００４１３の特許文献は、自分が以前に出願したものであるが、この中では防菌補助部材に突起を設けている。今回はこれをマスクの外から抑え込む場合に利用して、顔面とマスクとの間の隙間を効果的に埋めるアイデアを考案した。本発明により、ウィルス感染防止や花粉症対策に効果的なマスクの使用が可能となる。また、マスクが入手困難な時には本発明があれば、ガーゼ、通気性のある紙、不織布、ハンカチ、タオルなどを利用してマスクとして使用することができ有用性がある。フィッシュクリップ（５）を使用した器具を使ってガーゼ、通気性のある紙、不織布、ハンカチ、タオルなどを利用してマスクとして使用する方法もある。私達は、日頃生活する中で、社会と接し呼吸するので、新型コロナウィルスのような重篤な状態を引き起こす可能性のあるウィルスが蔓延している中では、マスクは感染防止の意味からは非常に重要になる。わずかな費用でマスク本来の機能を高めることができる本発明のような器具は価値が高いものと思われる。現在実際に発生している新型コロナウィルスのような問題は今後においても十分に発生する可能性もあり、本発明のような器具を商品化しておく価値は十分にあるものと思われる。本発明は、平型マスク、プリーツ型マスク、立体型マスクのいずれにも効果的である。新型コロナウィルスの世界的蔓延により、WHOからパンデミック宣言も出され、多くの死者が出ている中、感染防止の意味からもマスクの使用は重要であり、マスクの機能を高める本発明は社会的にも大きな意義があるものと思われる。
【実施例１】
【０００９】
図１は、本発明の基本構造をなす。本発明は、本体基板（１）および耳掛け（２）および通気孔（３）から構成されている。図１で示される本発明は、裏面から見ても同じ外観となる。図２、図１０、図１３についても同様である。本体基板（１）は、柔軟性を有する任意の素材および任意の大きさおよび任意の形状でつくることができ、マスクの形状をなし、マスクを外側から抑える機能を果たす。本体基板（１）は、ゴムや柔軟性のある各種プラスチック、伸縮性のある素材を織り込んだ布などでつくることが望ましい。耳掛け（２）は、柔軟性を有する任意の素材および任意の大きさおよび任意の形状でつくることができ、本体基板（１）に縫製、接着剤、熱融着などの取付手段で取り付けられている。通気孔（３）は、任意の大きさおよび任意の形状で、本体基板（１）に設けられ、その数と設ける位置は任意である。通気孔（３）は、本発明を装着した時に、呼吸をするために必要な孔であり、図１のように本体基板（１）の全面に渡って設けてもよいし、図２のように、呼吸するために必要な部分だけに設けてもよい。本発明をゴム状の素材や伸縮性のある布などでつくった場合には、本発明をマスクの上から装着した場合に、程度な強さでマスクを抑えることができ、顔面とマスクの間にできる隙間を効果的に埋めることができるため、この隙間から花粉や粉塵、ウィルス等が侵入することを防止することに役立つ。本発明によりマスクの本来の機能を高めることに役立つ。本発明は、任意の厚さのゴム板から抜き型で打ち抜き加工すれば、大量に廉価で製造できる。これをつくるゴム状の素材としては、天然ゴム、合成天然ゴム、スチレンブタジエンゴム、ブタジエンゴム、クロロプレンゴム、ブチルゴム、ニトリルゴム、エチレン・プロピレンゴム、クロロスルホン化ポリエチレンゴム、アクリルゴム、ウレタンゴム、シリコーンゴム、フッ素ゴム、多流加ゴムなどがあり、その他の柔軟性を有する任意の素材でもよい。ゴム状の素材などでつくった本発明は、自由に変形するので、どのような形の顔面にもフィットする。昨今、新型コロナウィルスの世界的蔓延により、マスク不足が大きな問題となっているが、本発明はこのような問題解決にも役立つものと思われる。すなわち、本発明が１つあり、マスクの素材の基布さえあれば、簡単にマスクとして利用できる。マスクの原反から四角のマスクの形状の基布を生産することは、マスクの完成形を生産するよりはるかに容易く、早く、大量に生産することができる。これにより、マスク不足を解消することもできる。更には、ガーゼ、通気性のある紙、不織布、ハンカチ、タオルなどがあれば、本発明を利用していつでもマスクとして利用できる。図１や図２示される本発明に、突起（４）を設けることにより、更にマスクの機能をより効果的に高めることができる。これについては以下の実施例で述べる。
【実施例２】
【００１０】
図３で示される本発明は、図１で示される本発明に突起（４）を設けたものを示している。一般に、マスクをした場合、鼻の左右の鼻根から鼻背の間、すなわち小鼻の上部にあたる部分に大きな隙間ができる。この隙間を埋めるために、マスクの上部にノーズワイヤーという変形可能な金属が入っているマスクもあるが、これを変形して使用してもこの隙間は完璧には埋まらない。この顔面とマスクの間の隙間を埋めるには、マスクの外側から小鼻の上部にあたる部分を抑えてやることがより効果的である。突起（４）は、本発明をマスクの上から装着した時に、顔面の小鼻の上部にあたる本体基板（１）の左右２カ所の位置に接着剤、熱融着などの取付手段で取り付けられている。こうすることにより、本発明をマスクの上から装着した時に、この突起（４）が顔面の小鼻の上部をマスクの外から適度な力で抑え込むことにより、顔面とマスクの間にできる隙間を効果的に埋めることができる。突起（４）は、任意の素材および任意の大きさおよび任意の形状からなり、本発明を装着した時に、顔面とマスクの間の隙間を効果的に埋める働きをする。図４は、図３で示される本発明を裏面からみた場合の外観斜視図を示している。これを見ると、突起（４）が設けられている場所には、通気孔（３）は、設けられていないことが分かる。このことは、他の実施例で、突起（４）が設けられている場合にも同様である。図５は、図３の別の形態の外観斜視図を示している。すなわち、空気孔（３）が設けられている位置が異なるのみであり、他は同じである。本発明は、この金型をつくり、これにゴム状の素材や柔軟性を有する各種プラスチック素材などを流し込んで成型してつくることもできる。この方法は実施例１１を除く他の実施例についても同様である。この本発明の場合も、マスク不足の場合には、ガーゼ、通気性のある紙、不織布、ハンカチ、タオルなどを使用してマスクとして利用することができるので有用性がある。本実施例は、図１や図２の実施例の場合に比べて、突起（４）が設けられているので、マスクの機能を高める意味では、より優れていると思われる。本発明は、使用後に洗浄して除菌をすれば繰り返し何度でも使用できる。本発明は、マスクの機能を高めることができるため、例えば、インフルエンザの治療などに携わる医師や看護師などの医療従事者に有意義であると思われる。なぜならば、マスクをしているにもかかわらず、マスクの機能が不完全のために、ウィルスなどに感染してしまう可能性も否定できないからである。新型コロナウィルスのようなウィルスは、霧のように空気中に漂うエアロゾルの状態でも生存する可能性もあり、感染防止の意味からはマスクは重要となり、マスクの機能を高める本発明は価値があるものと思われる。特に最近では、新型コロナウィルス関連で医療従事者がウィルスに感染したというニュースを耳にする。このような人達は、必ずマスクをしている筈であるが、それにもかかわらず感染してしまうことがある。ウィルスは目に見えないものであるから、或いは、マスクの不完全さが原因かも知れない。マスクの不完全さをいくらかでも解消するために、本発明は役立つかも知れない。医療従事者にとって完全防護服を着れば感染防止には、より完璧であろうが、普段の業務の中でこれを毎日着る訳にはいかないであろう。本発明で、マスクの不完全さをいくらかでも解消する意味合いは大きいと考えられる。本発明は、使用後に洗浄して除菌をすれば繰り返し使用することもできるが、医療関係などでの特殊な用途については、ゴム手袋などで使い捨てが行われているように、同様に使い捨てにするのが良いと思われる。特開２０１１−０００４１３の特許文献は、自分が以前に出願したものであるが、この中では防菌補助部材に突起を設けている。今回はこれをマスクの外から抑え込む場合に利用して、顔面とマスクとの間の隙間を効果的に埋めるアイデアを考案した。本発明により、ウィルス感染防止や花粉症対策に効果的なマスクの使用が可能となる。
【実施例３】
【００１１】
図６は、図１で示される基本形に、人の顔面の鼻および口を含む部分を囲むことができる三角形の形状の突起（４）を設けたものである。本発明をマスクの上から装着した場合、鼻および口を、この三角形の形状の突起（４）がマスクの外から適度な力で抑えるために、顔面とマスクの間の隙間を効果的に埋めることができる。突起（４）は、任意の素材および任意の大きさおよび任意の形状が可能で、柔軟性のゴムやウレタンフォームのような発泡体、その他の柔軟性のある各種プラスチック、ガーゼの帯のような布などでもよい。これにより花粉や粉塵、ウィルス等が隙間から侵入することを防止することに役立つ。図７は、図６の別の形態の外観斜視図を示している。すなわち、通気孔（３）が設けられている位置が異なるのみであり、他は同じである。突起（４）は、本体基板（１）の中心部分に、接着剤、熱融着などの取付手段で取り付けられている。この本発明の場合も、マスク不足の場合には、ガーゼ、通気性のある紙、不織布、ハンカチ、タオルなどを使用してマスクとして利用することができるので有用性がある。
【実施例４】
【００１２】
図８は、構造は図６と同じであるが、突起（４）の形状が楕円形となっているものである。本発明をマスクの上から装着した場合、この楕円形の突起（４）が人の顔面の鼻および口を含む部分を囲み、マスクの外から適度な力で抑えるために、顔面とマスクの間の隙間を効果的に埋めることができる。突起（４）は、任意の素材および任意の大きさおよび任意の形状が可能で、柔軟性のゴムやウレタンフォームのような発泡体、その他の柔軟性のある各種プラスチック、ガーゼの帯のような布などでもよい。これにより花粉や粉塵、ウィルス等が隙間から侵入することを防止することに役立つ。図９は、図８の別の形態の外観斜視図を示している。すなわち、通気孔（３）が設けられている位置が異なるのみであり、他は同じである。突起（４）は、本体基板（１）の中心部分に、接着剤、熱融着などの取付手段で取り付けられている。この本発明の場合も、マスク不足の場合には、ガーゼ、通気性のある紙、不織布、ハンカチ、タオルなどを使用してマスクとして利用することができるので有用性がある。
【実施例５】
【００１３】
図１０は、中心部分に人の顔面の鼻および口を含む部分を囲むことができる三角形の形状の通気孔（３）が１つ設けられている構造であり、図１で示す構造物で、通気孔（３）が１つ存在する場合に相当する。これをマスクの上から装着した場合には、この三角形の形状の通気孔（３）に、人の顔面の鼻および口を含む部分が収まり、本体基板（１）がマスクの外から適度な力で抑えるために、顔面とマスクの間の隙間を効果的に埋めることができる。この本発明は、任意の厚さのゴム板から抜き型で打ち抜き加工すれば、大量に廉価で製造できる。これをつくるゴム状の素材としては、天然ゴム、合成天然ゴム、スチレンブタジエンゴム、ブタジエンゴム、クロロプレンゴム、ブチルゴム、ニトリルゴム、エチレン・プロピレンゴム、クロロスルホン化ポリエチレンゴム、アクリルゴム、ウレタンゴム、シリコーンゴム、フッ素ゴム、多流加ゴムなどがあり、その他の柔軟性を有する任意の素材でもよい。ゴム状の素材でつくった本発明は、自由に変形するので、どのような形の顔面にもフィットする。この本発明の場合も、マスク不足の場合には、ガーゼ、通気性のある紙、不織布、ハンカチ、タオルなどを使用してマスクとして利用することができるので有用性がある。
【実施例６】
【００１４】
図１１は、図１０で示される本発明に、２つの突起（４）を設けたものである。突起（４）は、本発明をマスクの上から装着した時に、顔面の小鼻の上部にあたる本体基板（１）の左右２カ所の位置に接着剤、熱融着などの取付手段で取り付けられている。こうすることにより、本発明をマスクの上から装着した時に、この突起（４）が顔面の小鼻の上部をマスクの外から程度な強さで抑え込むことにより、顔面とマスクの間にできる隙間を効果的に埋めることができる。突起（４）は、任意の素材および任意の大きさおよび任意の形状からなり、本発明を装着した時に、顔面とマスクの間の隙間を埋める働きをする。この本発明の場合も、マスク不足の場合には、ガーゼ、通気性のある紙、不織布、ハンカチ、タオルなどを使用してマスクとして利用することができるので有用性がある。
【実施例７】
【００１５】
図１２は、図１０で示される本発明に、人の顔面の鼻および口を含む部分を囲むことができる任意の素材および任意の大きさからなる三角形の突起（４）を設けたものである。突起（４）は、任意の素材および任意の大きさおよび任意の形状が可能で、柔軟性のゴムやウレタンフォームのような発泡体、その他の柔軟性のある各種プラスチック、ガーゼの帯のような布などでもよい。これをマスクの上から装着した場合には、この三角形の形状の通気孔（３）に、人の顔面の鼻および口を含む部分が収まり、更に、三角形の突起（４）があるために、マスクの外から適度な力で抑えられた場合、顔面とマスクの間の隙間を効果的に埋めることができる。この本発明の場合も、マスク不足の場合には、ガーゼ、通気性のある紙、不織布、ハンカチ、タオルなどを使用してマスクとして利用することができるので有用性がある。
【実施例８】
【００１６】
図１３は、図１０と構造は同じであるが、中心部分の通気孔（３）の形状が、楕円形の場合を示している。これは、図１で示す構造物で、通気孔（３）が１つ存在する場合に相当する。これをマスクの上から装着した場合には、この楕円形の形状の通気孔（３）に、人の顔面の鼻および口を含む部分が収まり、本体基板（１）がマスクの外から適度な力で抑えるために、顔面とマスクの間の隙間を効果的に埋めることができる。この本発明は、任意の厚さのゴム板から抜き型で打ち抜き加工すれば、大量に廉価で製造できる。これをつくるゴム状の素材としては、天然ゴム、合成天然ゴム、スチレンブタジエンゴム、ブタジエンゴム、クロロプレンゴム、ブチルゴム、ニトリルゴム、エチレン・プロピレンゴム、クロロスルホン化ポリエチレンゴム、アクリルゴム、ウレタンゴム、シリコーンゴム、フッ素ゴム、多流加ゴムなどがあり、その他の柔軟性を有する任意の素材でもよい。ゴム状の素材でつくった本発明は、自由に変形するので、どのような形の顔面にもフィットする。この本発明の場合も、マスク不足の場合には、ガーゼ、通気性のある紙、不織布、ハンカチ、タオルなどを使用してマスクとして利用することができるので有用性がある。
【実施例９】
【００１７】
図１４は、図１３で示される本発明に、２つの突起（４）を設けたものである。突起（４）は、本発明をマスクの上から装着した時に、顔面の小鼻の上部にあたる本体基板（１）の左右２カ所の位置に接着剤、熱融着などの取付手段で取り付けられている。こうすることにより、本発明をマスクの上から装着した時に、この突起（４）が顔面の小鼻の上部をマスクの外から抑え込むことにより、顔面とマスクの間にできる隙間を効果的に埋めることができる。突起（４）は、任意の素材および任意の大きさおよび任意の形状からなり、本発明を装着した時に、顔面とマスクの間の隙間を効果的に埋める働きをする。この本発明の場合も、マスク不足の場合には、ガーゼ、通気性のある紙、不織布、ハンカチ、タオルなどを使用してマスクとして利用することができるので有用性がある。
【実施例１０】
【００１８】
図１５は、図１３で示される本発明に、人の顔面の鼻および口を含む部分を囲むことができる任意の素材および任意の大きさからなる楕円形の突起（４）を設けたものである。突起（４）は、任意の素材および任意の大きさおよび任意の形状が可能で、柔軟性のゴムやウレタンフォームのような発泡体、その他の柔軟性のある各種プラスチック、ガーゼの帯のような布などでもよい。これをマスクの上から装着した場合には、この楕円形の形状の通気孔（３）に、人の顔面の鼻および口を含む部分が収まり、更に、楕円形の突起（４）があるために、マスクの外から適度な力で抑えられた場合、顔面とマスクの間の隙間を効果的に埋めることができる。この本発明の場合も、マスク不足の場合には、ガーゼ、通気性のある紙、不織布、ハンカチ、タオルなどを使用してマスクとして利用することができるので有用性がある。
【実施例１１】
【００１９】
図１６は、一般に市販されているフィッシュクリップ（５）２つをゴム紐のような伸縮性のある任意の素材で連結したものを示している。各種ゴム紐のような伸縮性のある任意の素材は、フィッシュクリップ（５）の穴に、穴を通した後に結び目を作るとか金具を取り付けるなどの取付手段で取り付けられている。フィッシュクリップ（５）は、厚手の布地などをしっかりと挟み込み固定できるクリップである。この図１６で示される器具を２つ使用し、ガーゼ、通気性のある紙、不織布、ハンカチ、タオルなどを挟み込めば、図１７のようにマスクとして使用できる。本実施例での本発明は、マスク不足を解消できる。本発明は、フィッシュクリップ（５）２つで耳掛け（２）をつくったものであり、これを２つ使用してマスクをつくることができるものである。なを、この耳掛け（２）の紐は、図１８のようにその長さを調節できるように工夫してもよい。これを使えば、図１９のように顔の大きさによって耳掛け（２）の紐を調節できるマスクができる。一般には、耳掛け（２）のゴムは大きく伸び縮みするので、必ずしもこの必要はないかも知れない。フィッシュクリップ（５）は、任意の素材および任意の大きさおよび任意の形状でつくることができる。このアイデアは、任意の素材および任意の大きさおよび任意の形状からなる２個のフィッシュクリップ（５）を、任意の長さおよび任意の形状からなる伸縮性のある任意の素材で連結した構造からなる簡易マスク形成用器具となる。本実施例では、市販のフィッシュクリップ（５）を使用しているが、この器具はフィッシュクリップ（５）に限らず、布などを強く挟むことのできるものであれば、どのようなものでもよい。すなわち、マスクの代用として使用できる任意の素材を、強く挟むことのできる２個のクリップなどの器具を、任意の長さおよび任意の形状からなる伸縮性のある任意の素材で連結した構造からなるものでもよい。本発明は、構造は簡単であるが、便利に実用できる。
【産業上の利用可能性】
【００２０】
本発明は、工業的に量産することが可能であるため、産業上の利用可能性を有する。
【符号の説明】
【００２１】
１  本体基板
２  耳掛け
３  通気孔
４  突起
５  フィッシュクリップ
【図１】
2020114956.tif 000003
【図２】
2020114956.tif 000004
【図３】
2020114956.tif 000005
【図４】
2020114956.tif 000006
【図５】
2020114956.tif 000007
【図６】
2020114956.tif 000008
【図７】
2020114956.tif 000009
【図８】
2020114956.tif 000010
【図９】
2020114956.tif 000011
【図１０】
2020114956.tif 000012
【図１１】
2020114956.tif 000013
【図１２】
2020114956.tif 000014
【図１３】
2020114956.tif 000015
【図１４】
2020114956.tif 000016
【図１５】
2020114956.tif 000017
【図１６】
2020114956.tif 000018
【図１７】
2020114956.tif 000019
【図１８】
2020114956.tif 000020
【図１９】
2020114956.tif 000021